(57)【要約】【課題】ガラス戸が完全に開放されていない状態であっても、虫の侵入を防止することができる引き違い窓機構を得る。【解決手段】内側ガラス戸１８の召し合わせ部２８に当接部材５６を設け、網戸２２の縦框５０に当接部材６２を設けて、当接部材５６のマグネット６０の磁力によって当接部材６２のマグネット６６が引き付けられるようにしている。そして、外側ガラス戸２０が完全に開放されていない状態で当接部材５６を室外１３側へ突出させると、マグネット６０が外側ガラス戸２０のガラス４２の高さ方向の全域に亘って当接し、外側ガラス戸２０と内側ガラス戸１８の隙間が塞がれる。このマグネット６０によってマグネット６６が引き付けられ、外側ガラス戸２０のガラス４２の高さ方向の全域に亘って当接する。これにより、外側ガラス戸２０と内側ガラス戸１８の隙間が塞がれ、網戸２２と外側ガラス戸２０の隙間が塞がれ、室内１１への虫の侵入が防止される。【選択図】図２
2010281083.tif 000002
【特許請求の範囲】
【請求項１】
建物外壁に設けられた開口内をスライドして、前記開口を開閉する引き違い式の一組のガラス戸と、
前記ガラス戸の室外側に配置され、前記開口内をスライドする網戸と、
一方のガラス戸が完全に開放されていない状態で、ガラス戸間の隙間及びガラス戸と網戸の隙間を塞ぐ閉塞手段と、
を有する引き違い窓機構。
【請求項２】
前記ガラス戸が、室内側に配置された内側ガラス戸と、室外側に配置された外側ガラス戸と、で構成され、
前記閉塞手段が、前記内側ガラス戸及び前記網戸に設けられた当接手段である請求項１に記載の引き違い窓機構。
【請求項３】
前記ガラス戸が、室内側に配置された内側ガラス戸と、室外側に配置された外側ガラス戸と、で構成され、
前記閉塞手段が、前記外側ガラス戸に設けられた当接手段である請求項１に記載の引き違い窓機構。
【請求項４】
前記当接手段が、前記外側ガラス戸の召し合わせ部の室内側及び室外側に設けられた請求項３に記載の引き違い窓機構。
【請求項５】
前記当接手段が、前記外側ガラス戸の召し合わせ部の室内側及び前記召し合わせ部とは反対側に位置する縦框の室外側に設けられた請求項３に記載の引き違い窓機構。
【請求項６】
前記当接手段が、
前記内側ガラス戸の召し合わせ部に設けられた移動部材と、
前記内側ガラス戸の召し合わせ部に設けられ、前記移動部材と連動して、前記外側ガラス戸側へ突出し該外側ガラス戸に当接する第１磁性部材と、
前記内側ガラス戸の召し合わせ部と対面可能な前記網戸の縦框に設けられ、前記第１磁性部材が前記外側ガラス戸側へ突出すると、第１磁性部材の磁力によって前記外側ガラス戸側へ突出し該外側ガラス戸に当接する第２磁性部材と、
を含んで構成された請求項２に記載の引き違い窓機構。
【請求項７】
前記第２磁性部材を前記網戸の縦框側へ付勢し、前記第１磁性部材が前記外側ガラス戸側へ突出した状態で前記第２磁性部材に作用する磁力よりも小さく、前記第１磁性部材が前記外側ガラス戸側へ突出していない状態で第２磁性部材に作用する第１磁性部材の磁力よりも大きい付勢力を有する付勢手段が設けられた請求項６に記載の引き違い窓機構。
【請求項８】
前記当接手段が、
前記内側ガラス戸及び前記網戸の縦框にそれぞれ設けられ、前記外側ガラス戸に当接可能な当接部材と、
前記当接部材を前記外側ガラス戸へ付勢する付勢部材と、
を含んで構成された請求項２に記載の引き違い窓機構。
【請求項９】
前記当接手段が、
前記外側ガラス戸の縦框の室内側及び室外側にそれぞれ設けられ、前記内側ガラス戸又は前記網戸に当接可能な当接部材と、
前記当接部材を前記内側ガラス戸又は前記網戸側へ付勢する付勢部材と、
を含んで構成された請求項３〜５の何れか１項に記載の引き違い窓機構。
【発明の詳細な説明】
【技術分野】
【０００１】
本発明は、室内への虫の侵入を防止する引き違い窓機構に関する。
【背景技術】
【０００２】
従来から、一般家屋等の建築物の窓や玄関等において、特許文献１で開示されるように、アルミニウム合金等によって形成されたサッシ枠にガラス戸障子がスライド可能に組み込まれたスライディングサッシが広く採用されている。
【０００３】
このスライディングサッシでは、ガラス戸障子を開放させた状態下で、虫等の室内への侵入を防止するため、ガラス戸障子のガラス板に弾性変形可能な防虫具を固着し、該防虫具を網戸障子の内面に対して摺動可能に当接させて、虫等の室内への侵入を防止するようになっている。
【先行技術文献】
【特許文献】
【０００４】
【特許文献１】特開２００２−１８０７６９号公報
【発明の概要】
【発明が解決しようとする課題】
【０００５】
しかしながら、上記先行技術による場合、ガラス戸障子が完全に開放されていない状態では、ガラス戸障子とガラス戸障子の隙間を通じて虫が侵入してしまう。
【０００６】
本発明は上記事実を考慮し、ガラス戸が完全に開放されていない状態であっても、虫の侵入を防止することができる引き違い窓機構を得ることが目的である。
【課題を解決するための手段】
【０００７】
請求項１に記載の発明は、引き違い窓機構において、建物外壁に設けられた開口内をスライドして、前記開口を開閉する引き違い式の一組のガラス戸と、前記ガラス戸の室外側に配置され、前記開口内をスライドする網戸と、一方のガラス戸が完全に開放されていない状態で、ガラス戸間の隙間及びガラス戸と網戸の隙間を塞ぐ閉塞手段と、を有している。
【０００８】
請求項１に記載の発明では、一方のガラス戸が完全に開放されていない状態で、閉塞手段によって、ガラス戸とガラス戸の間の隙間及びガラス戸と網戸の隙間が塞がれる。
【０００９】
請求項２に記載の発明は、請求項１に記載の引き違い窓機構において、前記ガラス戸が、室内側に配置された内側ガラス戸と、室外側に配置された外側ガラス戸と、で構成され、前記閉塞手段が、前記内側ガラス戸及び前記網戸に設けられた当接手段である。
【００１０】
請求項２に記載の発明では、室内側に配置された内側ガラス戸及び網戸に当接手段が設けられており、内側ガラス戸に設けられた当接手段が外側ガラス戸に当接して、外側ガラス戸と内側ガラス戸の隙間を塞ぎ、網戸に設けられた当接手段が外側ガラス戸に当接して、網戸と外側ガラス戸の隙間を塞ぐ。
【００１１】
請求項３に記載の発明は、請求項１に記載の引き違い窓機構において、前記ガラス戸が、室内側に配置された内側ガラス戸と、室外側に配置された外側ガラス戸と、で構成され、前記閉塞手段が、前記外側ガラス戸に設けられた当接手段である。
【００１２】
請求項３に記載の発明では、外側ガラス戸に当接手段が設けられており、当接手段が網戸及び内側ガラス戸に当接して、網戸と外側ガラス戸の隙間、及び外側ガラス戸と内側ガラス戸の隙間を塞ぐ。
【００１３】
請求項４に記載の発明は、請求項３に記載の引き違い窓機構において、前記当接手段が、前記外側ガラス戸の召し合わせ部の室内側及び室外側に設けられている。
【００１４】
請求項４に記載の発明では、ガラス戸が閉止された状態で、外側ガラス戸の縦框と内側ガラス戸の縦框が重なり合う、召し合わせ部の外側ガラス戸側の室内側及び室外側に当接手段を設けており、外側ガラス戸側の召し合わせ部の室内側に設けられた当接手段が内側ガラス戸に当接して、外側ガラス戸と内側ガラス戸の隙間を塞ぎ、召し合わせ部の室外側に設けられた当接手段が網戸に当接して、網戸と外側ガラス戸の隙間を塞ぐ。このように、外側ガラス戸側の召し合わせ部の室内側及び室外側に当接手段を設けることで、ガラス戸が閉止された状態で、該当接手段が外部に露出しないようにすることができる。
【００１５】
請求項５に記載の発明は、請求項３に記載の引き違い窓機構において、前記当接手段が、前記外側ガラス戸の召し合わせ部の室内側及び前記召し合わせ部とは反対側に位置する縦框の室外側に設けられている。
【００１６】
請求項５に記載の発明では、外側ガラス戸の召し合わせ部の室内側及び召し合わせ部とは反対側に位置する縦框の室外側に当接手段を設けることで、召し合わせ部側に設けられた当接手段が網戸に当接して、網戸と外側ガラス戸の隙間を塞ぎ、縦框側に設けられた当接手段が内側ガラス戸に当接して、内側ガラス戸と外側ガラス戸の隙間を塞ぐ。このように、召し合わせ部及び縦框に当接手段を設けることで、ガラス戸が閉止された状態で、当接手段が外部に露出しないようにすることができる。
【００１７】
請求項６に記載の発明は、請求項２に記載の引き違い窓機構において、前記当接手段が、前記内側ガラス戸の召し合わせ部に設けられた移動部材と、前記内側ガラス戸の召し合わせ部に設けられ、前記移動部材と連動して、前記外側ガラス戸側へ突出し該外側ガラス戸に当接する第１磁性部材と、前記内側ガラス戸の召し合わせ部と対面可能な前記網戸の縦框に設けられ、前記第１磁性部材が前記外側ガラス戸側へ突出すると、第１磁性部材の磁力によって前記外側ガラス戸側へ突出し該外側ガラス戸に当接する第２磁性部材と、を含んで構成されている。
【００１８】
請求項６に記載の発明では、内側ガラス戸の召し合わせ部に移動部材を設けており、この移動部材に第１磁性部材を連動させ、該第１磁性部材を外側ガラス戸側へ突出させて外側ガラス戸に当接させるようにしている。これにより、内側ガラス戸と外側ガラス戸の隙間が塞がれる。また、内側ガラス戸の召し合わせ部と対面可能な網戸の縦框には第２磁性部材を設けており、第１磁性部材が外側ガラス戸側へ突出すると、第１磁性部材の磁力によって外側ガラス戸側へ突出し該外側ガラス戸に当接するようにしている。これにより、網戸と内側ガラス戸の隙間が塞がれる。
【００１９】
請求項７に記載の発明は、請求項６に記載の引き違い窓機構において、前記第２磁性部材を前記網戸の縦框側へ付勢し、前記第１磁性部材が前記外側ガラス戸側へ突出した状態で前記第２磁性部材に作用する磁力よりも小さく、前記第１磁性部材が前記外側ガラス戸側へ突出していない状態で第２磁性部材に作用する第１磁性部材の磁力よりも大きい付勢力を有する付勢手段が設けられている。
【００２０】
第１磁性部材は移動部材と連動するため、該移動部材の移動により、第１磁性部材を元の位置（内側ガラス戸の召し合わせ部側）に戻すことができる。このとき、第２磁性部材に作用する第１磁性部材の磁力は小さくなってしまう。
【００２１】
このため、請求項７に記載の発明では、第２磁性部材を網戸の縦框側へ付勢する付勢手段を設け、該付勢手段の付勢力を、第１磁性部材が外側ガラス戸側へ突出した状態で第２磁性部材に作用する磁力よりも小さくすることで、第１磁性部材が外側ガラス戸側へ突出すると、付勢手段の付勢力に抗して、第２磁性部材を外側ガラス戸側へ突出させることができる。
【００２２】
また、付勢手段の付勢力を、第１磁性部材が外側ガラス戸側へ突出していない状態で第２磁性部材に作用する第１磁性部材の磁力よりも大きくすることで、第１磁性部材が元の状態に戻された状態では、付勢手段の付勢力によって、第２磁性部材を元の位置に戻すことができる。
【００２３】
請求項８に記載の発明は、請求項２に記載の引き違い窓機構において、前記当接手段が、前記内側ガラス戸及び前記網戸の縦框にそれぞれ設けられ、前記外側ガラス戸に当接可能な当接部材と、前記当接部材を前記外側ガラス戸へ付勢する付勢部材と、を含んで構成されている。
【００２４】
請求項８に記載の発明では、外側ガラス戸に当接可能な当接部材を内側ガラス戸及び網戸の縦框に設け、付勢手段によって外側ガラス戸側へ付勢するようにすることで、例えば、外側ガラス戸が開放された状態で、当接部材が外側ガラス戸側へ付勢されて外側ガラス戸に当接する。そして、外側ガラス戸が閉止されるとき、外側ガラス戸の縦框が通過することによって、該縦框を介して、付勢手段の付勢力の抗する方向へ当接部材がそれぞれ押圧され、該当接部材を外側ガラス戸から離間させることができる。
【００２５】
請求項９に記載の発明は、請求項３〜５の何れか１項に記載の引き違い窓機構において、前記当接手段が、前記外側ガラス戸の縦框の室内側及び室外側にそれぞれ設けられ、前記内側ガラス戸又は前記網戸に当接可能な当接部材と、前記当接部材を前記内側ガラス戸又は前記網戸側へ付勢する付勢部材と、を含んで構成されている。
【００２６】
請求項９に記載の発明では、内側ガラス戸又は網戸に当接可能な当接部材を外側ガラス戸の縦框に設け、付勢手段によって内側ガラス戸又は網戸側へ付勢するようにすることで、例えば、外側ガラス戸が開放された状態で、当接部材が内側ガラス戸又は網戸側へ付勢されて当接する。そして、外側ガラス戸が閉止されるとき、外側ガラス戸の縦框が通過することによって、該縦框を介して、付勢手段の付勢力の抗する方向へ当接部材がそれぞれ押圧され、該当接部材を内側ガラス戸及び網戸から離間させることができる。
【発明の効果】
【００２７】
請求項１記載の本発明に係る引き違い窓機構によれば、ガラス戸が完全に開放されていない状態であっても、室内への虫の侵入を防止することができる。
【００２８】
請求項２記載の本発明に係る引き違い窓機構によれば、内側ガラス戸に設けられた当接手段と網戸に設けられた当接手段を対面可能に配置することができ、当接手段が外部へ露出しないようにすることができる。
【００２９】
請求項３記載の本発明に係る引き違い窓機構は、外側ガラス戸に当接手段を設けるだけでよいので、既存の引き違い窓機構に対応させる場合、外側ガラス戸を変えるだけで対応可能となる。
【００３０】
請求項４記載の本発明に係る引き違い窓機構によれば、当接手段が設けられたことによって美観が損なわれることはない。
【００３１】
請求項５記載の本発明に係る引き違い窓機構によれば、当接手段が設けられたことによって、開口が閉止された状態で美観が損なわれることはない。
【００３２】
請求項６記載の本発明に係る引き違い窓機構によれば、移動部材を召し合わせ部に設けるため、移動部材とガラス戸を施錠するロック部材を連動させることができる。
【００３３】
請求項７記載の本発明に係る引き違い窓機構によれば、第１磁性部材が元の位置に戻されると、付勢手段の付勢力によって第２磁性部材が元の位置に戻される。
【００３４】
請求項８記載の本発明に係る引き違い窓機構によれば、磁力を利用して外側ガラス戸に当接部材を当接させる場合と異なり、内側ガラス戸又は網戸の設計の自由度が広がる。
【００３５】
請求項９記載の本発明に係る引き違い窓機構によれば、磁力を利用して内側ガラス戸又は網戸に当接部材を当接させる場合と異なり、外側ガラス戸の設計の自由度が広がる。
【図面の簡単な説明】
【００３６】
【図１】本実施形態に係る引き違い窓機構を室内側から見た分解斜視図である。
【図２】第１実施形態に係る引き違い窓機構の要部を拡大した断面斜視図である。
【図３−１】（Ａ）、（Ｂ）は、第１実施形態に係る引き違い窓機構の作用を説明する動作図である。
【図３−２】（Ｃ）、（Ｄ）は、第１実施形態に係る引き違い窓機構の作用を説明する動作図である。
【図４】（Ａ）〜（Ｃ）は、第１実施形態に係る引き違い窓機構の変形例の作用を説明する動作図である。
【図５】第１実施形態に係る引き違い窓機構の作用を説明する説明図であり、（Ａ）は外側ガラス戸が完全に開放された状態を示し、（Ｂ）は、外側ガラス戸が完全に開放されていない状態を示している。
【図６】（Ａ）、（Ｂ）は、第２実施形態に係る引き違い窓機構の作用を説明する動作図である。
【図７】第２実施形態に係る引き違い窓機構の第１変形例を示す断面図である。
【図８】第２実施形態に係る引き違い窓機構の第２変形例を示す断面図である。
【発明を実施するための形態】
【００３７】
以下、図１〜図８を用いて、本発明に係る引き違い窓機構の実施形態について説明する。まず、図１〜図３を用いて、第１実施形態に係る引き違い窓機構について説明する。なお、図３〜図８は、引き違い窓機構を示す横断面図である。
【００３８】
＜第１実施形態＞
【００３９】
図１には、第１実施形態に係る引き違い窓機構１０を室内１１側から見た分解斜視図が示されている。この図に示されるように、住宅１２の外壁には開口１４が形成されており、開口１４の上縁及び下縁には、上レール（図示省略）及び下レール１６が敷設されている。そして、これら上レール及び下レール１６に引き違い式の引き違い窓機構１０がスライド可能に挿嵌されている。
【００４０】
引き違い窓機構１０は、二枚のガラス戸１８、２０（内側ガラス戸１８、外側ガラス戸２０）及び一枚の網戸２２を備えており、室内１１側から内側ガラス戸１８、外側ガラス戸２０、網戸２２の順番で上レール及び下レール１６に挿嵌されている。
【００４１】
内側ガラス戸１８は、上框２４、下框２６、縦框２８（召し合わせ部２８）、縦框３０及びガラス３２で構成されており、外側ガラス戸２０は、上框３４、下框３６、縦框３８、縦框４０（召し合わせ部４０）及びガラス４２で構成されている。そして、網戸２２は、上框４４、下框４６及び縦框４８、５０と網部５２で構成されている。
【００４２】
また、内側ガラス戸１８の召し合わせ部２８及び外側ガラス戸２０の召し合わせ部４０には、図示しない施錠部材が設けられており、内側ガラス戸１８及び外側ガラス戸２０が閉止状態とされたときにのみ施錠可能とされている。
【００４３】
図２に示されるように（図２は、引き違い窓機構１０の断面斜視図）、内側ガラス戸１８の召し合わせ部２８には、室内１１側から室外１３側へ向かって水平方向に沿って操作ピン（移動部材）５４が貫通しており、操作ピン５４の頭部５４Ａが室内１１側に配置されている。この操作ピン５４の頭部５４Ａと召し合わせ部２８の表面との間には隙間が設けられており、操作ピン５４を室外１３側へ押圧可能としている。
【００４４】
また、内側ガラス戸１８の召し合わせ部２８の室外１３側には、外側ガラス戸２０のガラス４２の、高さ方向の長さと同じ長さを有する長板状の当接部材５６が設けられている。当接部材５６の幅方向の一端部には、軸部５８が設けられている。この軸部５８は召し合わせ部２８の外側角部に軸支されており、当接部材５６を揺動可能としている。
【００４５】
また、当接部材５６の先端部の室外１３側には、当接部材５６の長さに合わせて長板状のマグネット６０（ゴム磁石が好ましいが、金属でも良い）が設けられており、この当接部材５６が操作ピン５４の先端部に固定されている。操作ピン５４の頭部５４Ａが室内１１側へ突出した状態では、当接部材５６は召し合わせ部２８に面接触可能としており、操作ピン５４の頭部５４Ａを押圧すると、当接部材５６が軸部５８を中心に室外１３側へ突出する。
【００４６】
この状態で、マグネット６０が外側ガラス戸２０のガラス４２の高さ方向の全域に亘って当接する（当接部材５６の先端部がガラス４２に当接するようにしても良い）。これにより、図３（Ｂ）に示されるように、外側ガラス戸２０と内側ガラス戸１８の隙間が塞がれる。
【００４７】
一方、外側ガラス戸２０と網戸２２を対面させた状態で、召し合わせ部２８と対面可能な網戸２２の縦框５０には、外側ガラス戸２０のガラス４２の、高さ方向の長さと同じ長さを有する長板状の当接部材６２が設けられている。図２に示されるように、この当接部材６２の幅方向の一端部には、軸部６４が設けられており、軸部６４は縦框５０の外側角部に軸支され、当接部材６２を揺動可能としている。
【００４８】
また、当接部材６２の先端部の室内１１側には、当接部材６２の長さに合わせて長板状のマグネット６６（ゴム磁石が好ましいが、金属でも良い）が設けられている。そして、外側ガラス戸２０が開放され、内側ガラス戸１８の召し合わせ部２８と網戸２２の縦框５０が対面し、当接部材５６が軸部５８を中心に室外１３側へ突出すると、当接部材５６のマグネット６０の磁力によって、図３（Ｃ）に示されるように、当接部材６２のマグネット６６がマグネット６０側へ引き付けられるようにしている。
【００４９】
マグネット６６がマグネット６０側へ引き付けられた状態では、マグネット６０の先端面とマグネット６６の先端面が対面し、外側ガラス戸２０を間に置いて、マグネット６０とマグネット６６は磁着された状態となる。
【００５０】
つまり、当接部材５６だけでなく、当接部材６２のマグネット６６が外側ガラス戸２０のガラス４２の高さ方向の全域に亘って当接する（なお、当接部材６２の先端部がガラス４２に当接するようにしても良い）。これにより、外側ガラス戸２０と内側ガラス戸１８の隙間が塞がれると共に、網戸２２と外側ガラス戸２０の隙間が塞がれ、室内１１と室外１３が非連通状態となる。
【００５１】
この状態で、図３（Ｄ）に示されるように、操作ピン５４を室内１１側へ引き戻すと、当接部材５６が外側ガラス戸２０のガラス４２から離間して、室内１１と室外１３とは連通状態となり、当接部材５６は召し合わせ部２８に接触する。
【００５２】
そして、外側ガラス戸２０を閉めるとき、外側ガラス戸２０の召し合わせ部４０が当接部材６２を通過する。このとき、召し合わせ部４０が当接部材６２に接触し、該当接部材６２が網戸２２の縦框５０側へ押され、当接部材６２は元の位置に戻される。
【００５３】
ここで、図４（Ａ）に示されるように、当接部材６２に、外側ガラス戸２０から離間する方向へ付勢する付勢部材（例えば、スプリング６８）を用いても良い。そして、この付勢部材の付勢力を、当接部材５６が外側ガラス戸２０側へ突出した状態で、当接部材６２を外側ガラス戸２０側へ突出させる磁力よりも小さくする。これにより、当接部材５６が外側ガラス戸２０側へ突出すると、スプリング６８の付勢力に抗して、当接部材６２を外側ガラス戸２０側へ突出させることができる。
【００５４】
そして、このスプリング６８の付勢力を、当接部材５６が外側ガラス戸２０側へ突出していない状態で当接部材６２に作用する当接部材５６の磁力よりも大きくすることで、図４（Ｂ）に示されるように、当接部材５６が外側ガラス戸２０のガラス４２から離間して、元の位置に戻った状態では、図４（Ｃ）に示されるように、スプリング６８の付勢力によって、当接部材６２は元に位置に戻ることとなる。
【００５５】
なお、ここでは、内側ガラス戸１８の召し合わせ部２８に、移動部材としての操作ピン５４を設け、該操作ピン５４を押圧するようにしたが、当接部材５６を外側ガラス戸２０側へ突出させることができれば良いため、これに限るものではない。例えば、図示はしないが、操作ピン５４を召し合わせ部２８の表面に沿ってスライド移動させ、このスライド移動を当接部材５６の突出動作へ変換するようにしても良い。
【００５６】
また、内側ガラス戸１８の召し合わせ部２８及び外側ガラス戸２０の召し合わせ部４０に設けられた施錠部材（図示省略）の動作と操作ピン５４を連動させるようにしても良く、施錠部材のロック状態を解除させると、当接部材５６が外側ガラス戸２０側へ突出し、施錠部材をロックすると、当接部材５６が元の位置に戻るようにしても良い。
【００５７】
（作用・効果）
【００５８】
次に、本実施形態の作用並びに効果について説明する。
【００５９】
図２に示されるように、本実施形態では、内側ガラス戸１８の召し合わせ部２８に、長板状のマグネット６０が設けられた当接部材５６を揺動可能に設け、網戸２２の縦框５０に、長板状のマグネット６６が設けられた当接部材６２を揺動可能に設けて、当接部材５６のマグネット６０の磁力によって、当接部材６２のマグネット６６が引き付けられるようにしている。
【００６０】
そして、外側ガラス戸２０が完全に開放されていない状態で、当接部材５６が固定された操作ピン５４の頭部５４Ａを室外１３側へ押圧すると、当接部材５６が軸部５８を中心に室外１３側へ突出して、マグネット６０が外側ガラス戸２０のガラス４２の高さ方向の全域に亘って当接する。これにより、図３（Ｂ）に示されるように、外側ガラス戸２０と内側ガラス戸１８の隙間が塞がれる。
【００６１】
次に、当接部材５６のマグネット６０の磁力によって、当接部材６２のマグネット６６が引き付けられ、外側ガラス戸２０のガラス４２の高さ方向の全域に亘って当接する。これにより、図３（Ｃ）に示されるように、外側ガラス戸２０と内側ガラス戸１８の隙間が塞がれると共に、網戸２２と外側ガラス戸２０の隙間が塞がれ、室内１１と室外１３が非連通状態となる。
【００６２】
例えば、図５（Ａ）に示されるように、外側ガラス戸２０が完全に開放された状態では、開放部分に網戸２２を配置した状態で、網戸２２の網部５２によって室内１１への虫の侵入が防止される。また、この状態では、網戸２２の縦框５０と外側ガラス戸２０の縦框３８と内側ガラス戸１８の召し合わせ部２８が重なり合うため、網戸２２と外側ガラス戸２０の隙間及び外側ガラス戸２０と内側ガラス戸１８の隙間は小さく（なお、ここでは、当接部材６２、５６の説明の都合上、隙間は大きくなっている）、室内１１への虫の侵入が抑制される。
【００６３】
一方、図５（Ｂ）に示されるように、外側ガラス戸２０が完全に開放されていない状態、つまり、網戸２２の縦框５０と外側ガラス戸２０の召し合わせ部４０、及び外側ガラス戸２０の召し合わせ部４０と内側ガラス戸１８の召し合わせ部２８の位置がずれている状態では、網戸２２の縦框５０と外側ガラス戸２０のガラス４２との間の隙間及び外側ガラス戸２０と内側ガラス戸１８の隙間は、外側ガラス戸２０が完全に開放された状態よりも大きくなり、この隙間を通じて室内１１へ虫が侵入してしまう。
【００６４】
このため、本実施形態では、図３（Ｃ）に示されるように、外側ガラス戸２０が完全に開放されていない状態で、マグネット６０、６６が外側ガラス戸２０のガラス４２に当接し、外側ガラス戸２０と内側ガラス戸１８の隙間及び網戸２２と外側ガラス戸２０の隙間を塞いで、室内１１と室外１３を非連通状態となるようにすることで、外側ガラス戸２０が完全に開放されていない状態であっても、室内１１への虫の侵入を防止することができる。
【００６５】
したがって、例えば、外側ガラス戸２０の縦框３８に操作ハンドル３９（図３参照）が設けられている場合、外側ガラス戸２０を完全に開放した状態で、操作ハンドル３９と内側ガラス戸１８の召し合わせ部２８の干渉により、外側ガラス戸２０の縦框３８と内側ガラス戸１８の召し合わせ部２８とが重ならないようになっている構成であったとしても、本実施形態を適用させることで、室内１１への虫の侵入を防止することができる。
【００６６】
ここで、本実施形態では、当接部材５６、６２にマグネット６０、６６を設けて、マグネット６０の磁力によってマグネット６６を引き付け、マグネット６０、６６を外側ガラス戸２０のガラス４２に当接させるようにしているため、内側ガラス戸１８の召し合わせ部２８及び網戸２２の縦框５０に、例えば、凹部を形成する等、特殊な加工を施す必要はなく、召し合わせ部２８及び縦框５０に当接部材５６、６２を取付けることが可能であり、簡単に後付けすることができる。
【００６７】
また、当接部材５６、６２の幅寸法を召し合わせ部２８、縦框５０の幅寸法内とすることで、当接部材５６、６２が外部から見えないため、当接部材５６、６２が設けられたことによって美観が損なわれることもない。
【００６８】
＜第２実施形態＞
【００６９】
次に、第２実施形態に係る引き違い窓機構について説明する。なお、第１実施形態と略同一の内容については説明を省略する。
【００７０】
図２に示されるように、第１実施形態では、マグネット６０、６６の磁力によって、当接部材５６、６２を外側ガラス戸２０のガラス４２に当接させるようにしたが、第２実施形態では、図６（Ａ）に示されるように、付勢手段（ここでは、スプリング７０、７２）を用いて、当接部材７４、７８を外側ガラス戸２０のガラス４２側へ付勢して、該ガラス４２に当接させるようにする。
【００７１】
具体的には、内側ガラス戸１８の召し合わせ部２８の室外１３側には、外側ガラス戸２０のガラス４２の高さ方向の長さと同じ長さを有する長板状の当接部材７４が揺動可能とされている。そして、召し合わせ部２８の室外１３側には、スプリング７０の一端部が装着された装着部７６が設けられており、スプリング７０の他端側が当接部材７４に当接して当接部材７４を召し合わせ部２８から離間する方向へ付勢している。このため、外側ガラス戸２０が閉止された状態では、スプリング７０の付勢力によって、当接部材７４は外側ガラス戸２０の召し合わせ部４０に当接している。
【００７２】
一方、網戸２２の縦框５０の室内１１側には、外側ガラス戸２０のガラス４２の高さ方向の長さと同じ長さを有する長板状の当接部材７８が揺動可能とされている。そして、縦框５０の室内１１側には、スプリング７２の一端部が装着された装着部８０が設けられており、スプリング７２の他端側が当接部材７８に当接して当接部材７８を縦框５０から離間する方向へ付勢している。このため、外側ガラス戸２０が閉止された状態では、スプリング７２の付勢力によって、当接部材７８は外側ガラス戸２０の召し合わせ部４０に当接している。
【００７３】
この状態で、図６（Ｂ）に示されるように、外側ガラス戸２０を開放すると、当接部材７４、７８はそれぞれスプリング７０、７２の付勢力によって、ガラス４２に当接する。これにより、外側ガラス戸２０と内側ガラス戸１８の隙間が塞がれ、また、網戸２２と外側ガラス戸２０の隙間が塞がれて、室内１１と室外１３が非連通状態となる。
【００７４】
そして、外側ガラス戸２０を閉めるとき、外側ガラス戸２０の召し合わせ部４０が当接部材７４、７８を通過する。このとき、召し合わせ部４０が当接部材７４、７８に接触し、該当接部材７４、７８が、召し合わせ部４０に当接した状態で元の位置に戻される。
【００７５】
このように、外側ガラス戸２０側へ突出した状態の当接部材７４、７８を、召し合わせ部４０に接触させて元の位置（召し合わせ部４０に当接した状態）に戻すようにするため、当接部材７４、７８を召し合わせ部４０に対して接触しやすくする。このため、召し合わせ部４０のガラス４２側の端面には、傾斜面４０Ａ、４０Ｂを設け、この傾斜面４０Ａ、４０Ｂに対して当接部材７４、７８が対面可能となるように、当接部材７４、７８を軸支する。
【００７６】
ここで、当接部材７４、７８は、ワイパのような弾性変形可能なゴム部材のみを用いても良いし、揺動中心側の部材と自由端側の部材とで材質を変えても良い。この場合、例えば、当接部材７４、７８の揺動中心側では、金属や樹脂を用いて、自由端側では、フェルト状の部材を用いても良い。その他、当接部材７４、７８の材質は適宜選択可能である。
【００７７】
また、本実施形態では、スプリング７０、７２によって当接部材７４、７８をガラス４２側へ付勢するようにしているため、磁力を利用して当接部材７４、７８を磁着させる場合と異なり、当接部材７４、７８同士を対面させる必要はなく、当接部材７４、７８の配置について自由度が広がる。
【００７８】
例えば、図７に示されるように、外側ガラス戸２０の縦框３８の室外１３側に、網戸２２の網部５２に当接する当接部材７８を設け、外側ガラス戸２０の召し合わせ部４０の室内１１側に、内側ガラス戸１８のガラス３２と当接する当接部材７４を設けても良い。
【００７９】
また、これ以外にも、図８に示されるように、外側ガラス戸２０の召し合わせ部２８の室内１１側に、内側ガラス戸１８のガラス３２と当接する当接部材７４を設け、外側ガラス戸２０の召し合わせ部４０の室外１３側に、網戸２２の網部５２に当接する当接部材７８を設けても良い。この場合、外側ガラス戸２０だけでなく、内側ガラス戸１８の開放についても室内１１への虫の侵入を防止することができる。
【００８０】
〔本実施形態の補足説明〕
【００８１】
本実施形態では、住宅１２の外壁に設けられた開口１４を水平方向に沿ってスライドする内側ガラス戸１８、外側ガラス戸２０及び網戸２２について説明したが、これに限らず、開口１４を鉛直方向に沿ってスライドするガラス戸に対して本発明を適用させても良い。
【符号の説明】
【００８２】
１０      窓機構
１１      室内
１３      室外
１４      開口
１８      内側ガラス戸（ガラス戸）
２０      外側ガラス戸（ガラス戸）
２２      網戸
２８      召し合わせ部
３８      縦框
４０      召し合わせ部
５０      縦框
５４      操作ピン（移動部材、当接手段、閉塞手段）
５６      当接部材（第１磁性部材、当接手段、閉塞手段）
６０      マグネット（第１磁性部材、当接手段、閉塞手段）
６２      当接部材（第２磁性部材、当接手段、閉塞手段）
６６      マグネット（第２磁性部材、当接手段、閉塞手段）
６８      スプリング（付勢手段）
７０      スプリング（付勢部材、当接手段、閉塞手段）
７２      スプリング（付勢部材、当接手段、閉塞手段）
７４      当接部材（当接手段）
７８      当接部材（当接手段）
【図１】
2010281083.tif 000003
【図２】
2010281083.tif 000004
【図３−１】
2010281083.tif 000005
【図３−２】
2010281083.tif 000006
【図４】
2010281083.tif 000007
【図５】
2010281083.tif 000008
【図６】
2010281083.tif 000009
【図７】
2010281083.tif 000010
【図８】
2010281083.tif 000011